(57)【要約】【課題】  入出庫空間での作業を容易にするのに適したパレットを提供する。【解決手段】  従来のパレットに変わって、上から見て略長方形の輪郭をもち該長方形の左右１対の長辺に挟まれ該長辺に沿って延びて車両の車輪が転動できる面である左右１対の案内面を形成されるパレット上部部材を有するパレット主構造体と、前記パレット主構造体に支持され前記案内面を照らす照明手段と、を備えるものとし、また、開口が前記パレット上部部材に設けられ、前記照明手段が前記パレット上部部材の下側に位置して光を発光する発光機器を有し、前記発光機器の発光する光が前記開口を通過して前記案内面を照らすものとした。【選択図】    図１
2014227659.tif 000002
【特許請求の範囲】
【請求項１】
車両を搭載するパレットであって、
上から見て略長方形の輪郭をもち該長方形の左右１対の長辺に挟まれ該長辺に沿って延びて車両の車輪が転動できる面である左右１対の案内面を形成されるパレット上部部材を有するパレット主構造体と、
前記パレット主構造体に支持され前記案内面を照らす照明手段と、
を備えることを特徴とするパレット。
【請求項２】
開口が前記パレット上部部材に設けられ、
前記照明手段が前記パレット上部部材の下側に位置して光を発光する発光機器を有し、
前記発光機器の発光する光が前記開口を通過して前記案内面を照らす、
ことを特徴とする請求項１に記載のパレット。
【請求項３】
前記パレット上部部材が左右１対の案内面に挟まれる位置に前記案内面の高さより高い面を形成する板である中央部上板と左右１対の前記案内面から各々に立ち上がる面を形成し該中央部上板に繋がる板である左右１対の中央部側板とを持ち、
前記発光機器が前記中央部上板の下側に位置する、
ことを特徴とする請求項２に記載のパレット。
【請求項４】
前記パレット上部部材が左右１対の長辺を各々に形成する左右１対の縁部に位置し前記案内面より高い面を各々に形成する板である左右１対の縁部上板と左右１対の前記案内面から各々に立ち上がる面を形成し左右１対の縁部上板へ繋がる板である左右１対の縁部側板とを持ち、
前記発光機器が前記縁部上板の下側に位置し、
ことを特徴とする請求項３に記載のパレット。
【請求項５】
前記照明手段が前記パレット上部部材の前記案内面の少なくとも一部に前記長辺に沿って塗布される蓄光材を有する、
ことを特徴とする請求項４に記載のパレット。
【請求項６】
前記照明手段が前記案内面の少なくとも一部に前記長辺に沿って直列に配置される複数の発光素子を有する、
ことを特徴とする請求項５に記載のパレット。
【請求項７】
開口が前記パレット上部部材に設けられ、
前記照明手段が前記パレット上部部材の下側に位置して外部から放射される光を誘導する光誘導機器を有し、
前記光誘導機器に誘導される光が前記開口を通過して前記案内面を照らす、
ことを特徴とする請求項６に記載のパレット。
【請求項８】
前記パレット上部部材が左右１対の案内面に挟まれる位置に前記案内面の高さより高い面を形成する板である中央部上板と左右１対の前記案内面から各々に立ち上がる面を形成し該中央部上板へ繋がる板である左右１対の中央部側板とを持ち、
前記光誘導機器が前記中央部上板の下側に位置する、
ことを特徴とする請求項７に記載のパレット。
【請求項９】
前記パレット上部部材が左右１対の長辺を各々に形成する左右１対の縁部に位置し前記案内面より高い面を形成する板である左右１対の縁部上板と左右１対の前記案内面から各々に立ち上がる面を形成し左右１対の縁部上板へ繋がる板である左右１対の縁部側板とを持ち、
前記光誘導機器が前記縁部上板の下側に位置し、
ことを特徴とする請求項８に記載のパレット。
【請求項１０】
前記パレット上部部材が左右１対の案内面に挟まれる位置に前記案内面の高さより高い面を形成する板である中央部上板と左右１対の前記案内面から各々に立ち上がる面を形成し該中央部上板に繋がる板である左右１対の中央部側板とを持ち、
前記照明手段が前記中央部上板の下側に位置して光を発光する発光機器を有し、
前記発光機器の発光する光が前記案内面を照らす、
ことを特徴とする請求項１に記載のパレット。
【請求項１１】
前記パレット上部部材が左右１対の長辺を各々に形成する左右１対の縁部に位置し前記案内面より高い面を各々に形成する板である左右１対の縁部上板と左右１対の前記案内面から各々に立ち上がる面を形成し左右１対の縁部上板へ繋がる板である左右１対の縁部側板とを持ち、
前記照明手段が前記縁部上板の下側に位置して光を発光する発光機器を有し、
前記発光機器の発光する光が前記案内面を照らす、
ことを特徴とする請求項１に記載のパレット。
【請求項１２】
前記照明手段が前記パレット上部部材の前記案内面の少なくとも一部に前記長辺に沿って塗布される蓄光材を有する、
ことを特徴とする請求項１に記載のパレット。
【請求項１３】
前記照明手段が前記案内面の少なくとも一部に前記長辺に沿って直列に配置される複数の発光素子を有する、
ことを特徴とする請求項１に記載のパレット。
【請求項１４】
開口が前記パレット上部部材に設けられ、
前記照明手段が前記パレット上部部材の下側に位置して外部から放射される光を誘導する光誘導機器を有し、
前記光誘導機器に誘導される光が前記開口を通過して前記案内面を照らす、
ことを特徴とする請求項１に記載のパレット。
【請求項１５】
前記パレット上部部材が左右１対の案内面に挟まれる位置に前記案内面の高さより高い面を形成する板である中央部上板と左右１対の前記案内面から各々に立ち上がる面を形成し該中央部上板へ繋がる板である左右１対の中央部側板とを持ち、
前記照明手段が前記中央部上板の下側に位置して外部から放射される光を誘導する光誘導機器を有し、
前記光誘導機器に誘導される光が前記案内面を照らす、
ことを特徴とする請求項１に記載のパレット。
【請求項１６】
前記パレット上部部材が左右１対の長辺を各々に形成する左右１対の縁部に位置し前記案内面より高い面を形成する板である左右１対の縁部上板と左右１対の前記案内面から各々に立ち上がる面を形成し左右１対の縁部上板へ繋がる板である左右１対の縁部側板とを持ち、
前記照明手段が前記縁部上板の下側に位置して外部から放射される光を誘導する光誘導機器を有し、
前記光誘導機器に誘導される光が前記案内面を照らす、
ことを特徴とする請求項１に記載のパレット。
【発明の詳細な説明】
【技術分野】
【０００１】
本発明は、車両を搭載するためのパレットに係る。特に、車両を搭載する際のパレット上での作業をするのに適したパレットに関する。
【背景技術】
【０００２】
複数の車両を駐車させるのに駐車機構を備える駐車装置を用いることがある。
駐車機構は、車両を入出庫空間と駐車空間との間で移動させて駐車させる。
例えば、駐車装置は、メリーゴーランド方式駐車機構、エレベータ方式駐車機構、エレベータ・スライド方式駐車機構、平面往復方式駐車機構、運搬格納方式駐車機構、二段方式・多段方式駐車機構、等の形式の駐車機構を備える。
例えば、メリーゴーランド方式駐車機構では、上下一対のスプロケットに主務チェーンが巻きかけられ、複数のケージが主務チェーンに所定の間隔でつり下げられ、ケージがパレットを支持する。スプロケットを回転させると、複数のケージが循環移動する。
例えば、エレベータ方式駐車機構では、垂直になった昇降路に沿って上下方向に多段の駐車空間を配し、車両を載せたケージを昇降路の中に昇降させて、車両をケージから駐車空間に移載し、駐車させる。電動機は、ケージを吊るケーブルを巻上げ、巻き下げする。さらに、他の電動機が、車両をケージと駐車空間との間で移動させる。
例えば、エレベータ・スライド方式駐車機構では、駐車空間を垂直方向と水平方向に多段に配列し、車両を搬送台車に乗せて入出庫空間と駐車空間の横との間で搬送し、車両を搬送台車と駐車空間との間で移載する。電動機が、搬送台車を移動させる。他の電動機が、車両を搬送台車と駐車空間との間で移動させる。
例えば、平面往復方式駐車機構では、駐車空間を水平に配列し、搬送台車が車両を入出庫空間と駐車空間の横との間で搬送し、車両を搬送台車と駐車空間との間で移載する。電動機が、搬送台車を移動させる。他の電動機が、車両を搬送台車と駐車空間との間で移動させる。
【０００３】
入庫する際に、運転手は、車両を自走させて入出庫空間に入れた後で、車両から降りて立ち去る。
出庫する際に、運転手は、入出庫空間に入り車両に乗り込んだ後で、車両を自走させて入出庫空間から出す。
【０００４】
一方、車両の電動化が加速している。これらの車両を電動車両と総称する。
電動車両には、ハイブリッド自動車、プラグインハイブリッド自動車、電気自動車、電動バイク、等がある。
電動車両は、交流電気を給電されるタイプと直流電気を給電されるタイプがある。
そこで、駐車している間に、電動車両に給電することが考えられる。
電動車両には、外部から給電して車載バッテリーを充電するタイプのものがある。
それらの電動車両は、給電のための給電プラグ受を持つ。
急速充電器の給電プラグや１００／２００Ｖ等の電源コンセントに充電ケーブルを接続し充電ケーブルの給電プラグを電動車両の給電プラグ受に接続することで充電を行う。
【０００５】
車両をパレットに載せて車両に給電するのに、充電ケーブルで電気的に接続して、車両を充電することが考えられる。
入庫する際に、運転手は、車両を自走させて入出庫空間に入れた後で、車両から降りて、充電ケーブルを車両に結合させてから立ち去る。
出庫する際に、運転手は、入出庫空間に入り充電ケーブルを車両から外してから車両に乗り込んだ後で、車両を自走させて入出庫空間から出す。
【０００６】
入出庫空間は照明機器により照明されているが、運転手の足下は運転手自身の影、車両の影ができやすい。
そこで、運転手または作業員が入出庫空間から出る際に、また入出庫空間へ入る際に、今以上に入出庫空間での作業を容易にしたいという要請があった。
【発明の概要】
【発明が解決しようとする課題】
【０００７】
本発明は以上に述べた問題点に鑑み案出されたもので、入出庫空間での作業を容易にするのに適したパレットを提供する。
【課題を解決するための手段】
【０００８】
上記目的を達成するため、本発明に係る車両を搭載するパレットを、上から見て略長方形の輪郭をもち該長方形の左右１対の長辺に挟まれ該長辺に沿って延びて車両の車輪が転動できる面である左右１対の案内面を形成されるパレット上部部材を有するパレット主構造体と、前記パレット主構造体に支持され前記案内面を照らす照明手段と、を備える、ものとした。
【０００９】
上記本発明の構成により、パレット主構造体が、上から見て略長方形の輪郭をもち該長方形の左右１対の長辺に挟まれ該長辺に沿って延びて車両の車輪が転動できる面である左右１対の案内面を形成されるパレット上部部材を有する。照明手段が、前記パレット主構造体に支持され前記案内面を照らす。
その結果、車両を案内面に搭載した状態で案内面を容易に視認できる。
【００１０】
以下に、本発明の実施形態に係るパレットを説明する。本発明は、以下に記載した実施形態のいずれか、またはそれらの中の二つ以上が組み合わされた態様を含む。
【００１１】
本発明の実施形態に係るパレットは、開口が前記パレット上部部材に設けられ、前記照明手段が前記パレット上部部材の下側に位置して光を発光する発光機器を有し、前記発光機器の発光する光が前記開口を通過して前記案内面を照らす。
上記の実施形態の構成により、開口が前記パレット上部部材に設けられる。前記照明手段の発光機器が、前記パレット上部部材の下側に位置して光を発光する。前記発光機器の発光する光が前記開口を通過して前記案内面を照らす。
その結果、車両を案内面に搭載した状態で案内面を容易に視認できる。
【００１２】
本発明の実施形態に係るパレットは、前記パレット上部部材が左右１対の案内面に挟まれる位置に前記案内面の高さより高い面を形成する板である中央部上板と左右１対の前記案内面から各々に立ち上がる面を形成し該中央部上板に繋がる板である左右１対の中央部側板とを持ち、前記照明手段が前記中央部上板の下側に位置して光を発光する発光機器を有し、前記発光機器の発光する光が前記案内面を照らす。
上記の実施形態の構成により、前記パレット上部部材が左右１対の案内面に挟まれる位置に前記案内面の高さより高い面を形成する板である中央部上板と左右１対の前記案内面から各々に立ち上がる面を形成し該中央部上板に繋がる板である左右１対の中央部側板とを持つ。前記照明手段の発光機器が、前記中央部上板の下側に位置して光を発光する。前記発光機器の発光する光が前記案内面を照らす。
その結果、車両を案内面に搭載した状態で案内面を容易に視認できる。
【００１３】
本発明の実施形態に係るパレットは、前記パレット上部部材が左右１対の長辺を各々に形成する左右１対の縁部に位置し前記案内面より高い面を各々に形成する板である左右１対の縁部上板と左右１対の前記案内面から各々に立ち上がる面を形成し左右１対の縁部上板へ繋がる板である左右１対の縁部側板とを持ち、前記照明手段が前記縁部上板の下側に位置して光を発光する発光機器を有し、前記発光機器の発光する光が前記案内面を照らす。
上記の実施形態の構成により、前記パレット上部部材が左右１対の長辺を各々に形成する左右１対の縁部に位置し前記案内面より高い面を各々に形成する板である左右１対の縁部上板と左右１対の前記案内面から各々に立ち上がる面を形成し左右１対の縁部上板へ繋がる板である左右１対の縁部側板とを持つ。前記照明手段の発光機器が、前記縁部上板の下側に位置して光を発光する。前記発光機器の発光する光が前記案内面を照らす。
その結果、車両を案内面に搭載した状態で案内面を容易に視認できる。
【００１４】
本発明の実施形態に係るパレットは、前記照明手段が前記パレット上部部材の前記案内面の少なくとも一部に前記長辺に沿って塗布される蓄光材を有する。
上記の実施形態の構成により、前記照明手段の蓄光材が、前記パレット上部部材の前記案内面の少なくとも一部に前記長辺に沿って塗布される。
その結果、前記照明手段の照らす光により車両を案内面に搭載した状態で案内面を容易に視認できる。
【００１５】
本発明の実施形態に係るパレットは、前記照明手段が前記案内面の少なくとも一部に前記長辺に沿って直列に配置される複数の発光素子を有する。
上記の実施形態の構成により、前記照明手段の複数の発光素子が、前記案内面の少なくとも一部に前記長辺に沿って直列に配置される。
その結果、前記照明手段の照らす光により車両を案内面に搭載した状態で案内面を容易に視認できる。
【００１６】
本発明の実施形態に係るパレットは、開口が前記パレット上部部材に設けられ、前記照明手段が前記パレット上部部材の下側に位置して外部から放射される光を誘導する光誘導機器を有し、前記光誘導機器に誘導される光が前記開口を通過して前記案内面を照らす。
上記の実施形態の構成により、開口が前記パレット上部部材に設けられる。前記照明手段の光誘導機器が、前記パレット上部部材の下側に位置して外部から放射される光を誘導する。前記光誘導機器に誘導される光が前記開口を通過して前記案内面を照らす。
その結果、車両を案内面に搭載した状態で案内面を容易に視認できる。
【００１７】
本発明の実施形態に係るパレットは、前記パレット上部部材が左右１対の案内面に挟まれる位置に前記案内面の高さより高い面を形成する板である中央部上板と左右１対の前記案内面から各々に立ち上がる面を形成し該中央部上板へ繋がる板である左右１対の中央部側板とを持ち、前記照明手段が前記中央部上板の下側に位置して外部から放射される光を誘導する光誘導機器を有し、前記光誘導機器に誘導される光が前記案内面を照らす。
上記の実施形態の構成により、
前記パレット上部部材が左右１対の案内面に挟まれる位置に前記案内面の高さより高い面を形成する板である中央部上板と左右１対の前記案内面から各々に立ち上がる面を形成し該中央部上板へ繋がる板である左右１対の中央部側板とを持つ。前記照明手段の前記光誘導機器が前記中央部上板の下側に位置して外部から放射される光を誘導する。前記光誘導機器に誘導される光が前記案内面を照らす。
その結果、車両を案内面に搭載した状態で案内面を容易に視認できる。
【００１８】
本発明の実施形態に係るパレットは、前記パレット上部部材が左右１対の長辺を各々に形成する左右１対の縁部に位置し前記案内面より高い面を形成する板である左右１対の縁部上板と左右１対の前記案内面から各々に立ち上がる面を形成し左右１対の縁部上板へ繋がる板である左右１対の縁部側板とを持ち、前記照明手段が前記縁部上板の下側に位置して外部から放射される光を誘導する光誘導機器を有し、
前記光誘導機器に誘導される光が前記案内面を照らす。
上記の実施形態の構成により、前記パレット上部部材が左右１対の長辺を各々に形成する左右１対の縁部に位置し前記案内面より高い面を形成する板である左右１対の縁部上板と左右１対の前記案内面から各々に立ち上がる面を形成し左右１対の縁部上板へ繋がる板である左右１対の縁部側板とを持つ。
前記照明手段の光誘導機器が、が前記縁部上板の下側に位置して外部から放射される光を誘導する。
前記光誘導機器に誘導される光が前記案内面を照らす。
その結果、、車両を案内面に搭載した状態で案内面を容易に視認できる。
【発明の効果】
【００１９】
以上説明したように、本発明に係るパレットは、その構成により、以下の効果を有する。
パレット主構造体に支持される照明手段が、上から見て略長方形の輪郭をもつパレット上部部材の左右一対の長辺に挟まれる左右一対の案内面を照らす様にしたので、車両を案内面に搭載した状態で案内面を容易に視認できる。
また、パレット上部部材の下側に位置する発光機器の発光する光が前記パレット上部部材に設けられる開口を通過して前記案内面を照らす様にしたので、車両を案内面に搭載した状態で案内面を容易に視認できる。
また、パレット上部部材の左右一対の前記案内面の挟まれて位置し前記案内面から立ち上がる面を形成する左右一対の前記中央部側板が繋がり前記案内面より高い面を形成する前記中央部上板の下側に位置する前記発光機器の発光する光が前記案内面を照らす様にしたので、車両を案内面に搭載した状態で案内面を容易に視認できる。
また、前記パレット上部部材の縁部に位置し前記案内面から立ち上がる面を形成する左右一対の前記縁部側板が繋がり前記案内面より高い面を形成する左右一対の縁部上板の下側に位置する前記発光機器の発光する光が前記案内面を照らす様にしたので、車両を案内面に搭載した状態で案内面を容易に視認できる。
また、前記蓄光材を前記案内面の少なくとも一部に前記長辺に沿って塗る様にしたので、前記照明手段の照らす光により車両を案内面に搭載した状態で案内面を容易に視認できる。
また、複数の発光機器を前記案内面の少なくとも一部に前記長辺に沿って直列に配置する様にしたので、前記照明手段の照らす光により車両を案内面に搭載した状態で案内面を容易に視認できる。
また、前記パレット上部部材の下側に位置する光誘導機器が外部から放射される光を誘導して、前記パレット上部部材に設けられる開口を通過して前記案内面を照らす様にしたので、車両を案内面に搭載した状態で案内面を容易に視認できる。
また、パレット上部部材の左右一対の前記案内面の挟まれて位置し前記案内面から立ち上がる面を形成する左右一対の前記中央部側板が繋がり前記案内面より高い面を形成する前記中央部上板の下側に位置する前記光誘導機器が外部から放射される光を誘導し前記案内面を照らす様にしたので、車両を案内面に搭載した状態で案内面を容易に視認できる。
また、前記パレット上部部材の縁部に位置し前記案内面から立ち上がる面を形成する左右一対の前記縁部側板が繋がり前記案内面より高い面を形成する左右一対の縁部上板の下側に位置する前記光誘導機器が外部から放射される光を誘導して前記案内面を照らす様にしたので、車両を案内面に搭載した状態で案内面を容易に視認できる。
従って、入出庫空間での作業を容易にするのに適したパレットを提供できる。
【図面の簡単な説明】
【００２０】
【図１】本発明の実施形態に係るパレットの概念図である。
【図２】本発明の第一、第二の実施形態に係るパレットの斜視図である。
【図３】本発明の第一の実施形態に係るパレットの正面図である。
【図４】本発明の第二の実施形態に係るパレットの正面図である。
【図５】本発明の第三、第四の実施形態に係るパレットの斜視図である。
【図６】本発明の第三の実施形態に係るパレットの正面図である。
【図７】本発明の第四の実施形態に係るパレットの正面図である。
【図８】本発明の第五の実施形態に係るパレットの正面図である。
【図９】本発明の第六の実施形態に係るパレットの斜視図である。
【図１０】本発明の第七、第八の実施形態に係るパレットの斜視図である。
【図１１】本発明の第九、第十の実施形態に係るパレットの斜視図である。
【図１２】本発明の実施形態にかかる駐車装置の背面図である。
【図１３】本発明の実施形態に係る駐車装置の斜視図である。
【図１４】本発明の実施形態に係る駐車装置の正面図である。
【図１５】本発明の実施形態に係る駐車装置のＡ−Ａ断面図である。
【図１６】本発明の実施形態に係る駐車装置のＢ−Ｂ断面図である。
【図１７】本発明の実施形態に係る駐車装置の部分斜視図である。
【図１８】各種形式の駐車装置の概念図である。
【発明を実施するための形態】
【００２１】
以下、本発明を実施するための形態を、図面を素に、説明する。
図１は、  本発明の実施形態に係るパレットの概念図である。
【００２２】
本発明の実施形態にかかるパレットは、車両５を搭載する機器である。
例えば、パレットは、駐車装置で車両５を搭載するために機器である。
例えば、パレットは、充電の際に車両５を搭載するための機器である。
【００２３】
車両５は、給電プラグ受６を設けられる。
後述する充電ケーブル４１０の給電プラグ４１１が給電プラグ受６に脱着可能に結合する。
電源装置５００から給電された電力は、車両給電機器４００から充電ケーブル４１０を介して、給電プラグ４１１から給電プラグ受６へ給電される。
給電プラグ受６へ給電された電力は、車両５の蓄電機器へ蓄電される。
蓄電機器は、バッテリ、キャパシタ、フライホイール、その他である。
【００２４】
パレットは、パレット主構造体１００と照明手段２００とで構成される。
パレットは、パレット主構造体１００と照明手段２００と車両給電機器４００とで構成されてもよい。
【００２５】
パレット主構造体１００は、パレット上部部材１１０で構成される。
パレット主構造体１００は、パレット上部部材１１０と梁部材１２０とで構成されてもよい。
【００２６】
パレット上部部材１１０は、上から見て略長方形の輪郭をもち、長方形の左右１対の長辺に挟まれ長辺Ｅに沿って延びて車両５の車輪が転動できる面である左右１対の案内面Ｓを形成される部材である。
パレット上部部材１１０は、上から見て略長方形の輪郭をもち、長方形の左右１対の長辺に挟まれ長辺Ｅに沿って延びて車両５の車輪が転動できる面である左右１対の案内面Ｓを形成される板部材であってもよい。
【００２７】
開口Ｏが、パレット上部部材１１０に設けられてもよい。
開口Ｏが、後述する案内面を照らす光が通過する穴である。
開口Ｏが、後述する中央部側板１１３に設けられてもよい。
複数の開口Ｏが、後述する中央部側板１１３に設けられてもよい。
複数の開口Ｏが、後述する中央部側板１１３に案内面Ｓに沿って設けられてもよい。
開口Ｏが、後述する中央部上板１１２と後述する中央部側板１１３との隙間に設けられてもよい。
複数の開口Ｏが、後述する中央部上板１１２と後述する中央部側板１１３との隙間に設けられてもよい。
複数の開口Ｏが、後述する中央部上板１１２と後述する中央部側板１１３との隙間に案内面Ｓに沿って設けられてもよい。
開口Ｏが、後述する縁部側板１１５に設けられてもよい。
複数の開口Ｏが、後述する縁部側板１１５に設けられてもよい。
複数の開口Ｏが、後述する縁部側板１１５に案内面Ｓに沿って設けられてもよい。
開口Ｏが、後述する縁部上板１１４と後述する縁部側板１１５との隙間に設けられてもよい。
複数の開口Ｏが、後述する縁部上板１１４と後述する縁部側板１１５との隙間に設けられてもよい。
複数の開口Ｏが、後述する縁部上板１１４と後述する縁部側板１１５との隙間に案内面Ｓに沿って設けられてもよい。
開口Ｏが、後述する案内面上板１１１に設けられていてもよい。
複数の開口Ｏが、後述する案内面上板１１１に、案内面Ｓに沿って設けられていてもよい。
【００２８】
パレット上部部材１１０は、案内面上板１１１と中央部上板１１２と縁部側板１１４とで構成されてもよい。
パレット上部部材１１０は、案内面上板１１１と中央部上板１１２と中央部側板１１３とで構成されてもよい。
パレット上部部材１１０は、左右１対の案内面上板１１１と中央部上板１１２と左右１対の中央部側板１１３とで構成されてもよい。
パレット上部部材１１０は、案内面上板１１１と縁部上板１１４と縁部側板１１５とで構成されてもよい。
パレット上部部材１１０は、左右１対の案内面上板１１１と左右１対の縁部上板１１４と左右１対の縁部側板１１５とで構成されてもよい。
パレット上部部材１１０は、案内面上板１１１と中央部上板１１２と中央部側板１１３と縁部上板１１４と縁部側板１１５とで構成されてもよい。
パレット上部部材１１０は、左右１対の案内面上板１１１と中央部上板１１２と左右１対の中央部側板１１３と左右１対の縁部上板１１４と左右１対の縁部側板１１５とで構成されてもよい。
【００２９】
案内面上板１１１は、案内面Ｓを形成する板材である。
左右１対の案内面上板１１１は、左右１対の案内面Ｓを各々に形成する板材である。
【００３０】
中央部上板１１２は、左右１対の案内面Ｓに挟まれる位置に案内面Ｓの高さより高い面を形成する板である。
【００３１】
左右１対の中央部側板１１３は、左右１対の案内面から各々に立ち上がる面を形成し中央部上板１１２に繋がる板である。
例えば、左右１対の中央部側板１１３は、左右１対の案内面から各々に立ち上がる面を形成し中央部上板１１２に継ぎ目無く繋がる。
例えば、左右１対の中央部側板１１３は、左右１対の案内面から各々に立ち上がる面を形成し中央部上板１１２の下面にＴ字状に繋がる。
【００３２】
左右１対の縁部上板１１４は、左右１対の長辺Ｅを各々に形成する左右１対の縁部に位置し、案内面Ｓより高い面を各々に形成する板である。
【００３３】
左右１対の縁部側板１１５は、左右１対の案内面Ｓから各々に立ち上がる面を形成し左右１対の縁部上板１１４へ繋がる板である。
例えば、左右１対の縁部側板１１５は、左右１対の案内面Ｓから各々に立ち上がる面を形成し左右１対の縁部上板１１４へ継ぎ目無く繋がる。
例えば、例えば、左右１対の縁部側板１１５は、左右１対の案内面Ｓから各々に立ち上がる面を形成し左右１対の縁部上板１１４の下面へＴ字状に繋がる。
【００３４】
梁部材１２０は、パレット上部部材１１０の下面に設けられる梁状の部材である。
梁部材１２０は、パレット上部部材１１０の下面に設けられ、パレット上部部材１１０の略長方形の輪郭の短辺に平行に延びる梁状の部材であってもよい。
梁部材１２０は、パレット上部部材１１０の下面に設けられ、パレット上部部材１１０の略長方形の輪郭の長辺に平行に延びる梁状の部材であってもよい。
【００３５】
照明手段２００は、パレット主構造体１００に支持され、案内面Ｓを照らす手段である。
【００３６】
照明手段２００は、パレット上部部材１１０の下側に位置して、光を発光する発光機器２１０であってもよい。
照明手段２００は、パレット上部部材１１０を構成する板材の下側に位置して、光を発光する発光機器２１０であってもよい。
発光機器２１０の発光する光が、案内面Ｓを照らす。
発光機器２１０の発光する光が、開口Ｏを通過して案内面Ｓを照らしてもよい。
例えば、発光機器２１０は、ランプである。
【００３７】
発光機器２１０が、中央部上板１１２の下側に位置してもよい。
例えば、発光機器２１０が、中央部上板１１２の下側で左右１対の中央部側板１１３からパレット上部部材１１０の中央部に寄った側に位置する。
例えば、発光機器２１０が、中央部上板１１２の下側で中央部側板１１３からパレット上部部材１１０の縁部に寄った側に位置する
ここで、パレット上部部材１１０の縁部は、パレット上部部材１１０の略長方形の長辺を形成する部分である。
【００３８】
発光機器２１０が、縁部上板１１４の下側に位置してもよい。
例えば、発光機器２１０が、縁部上板１１４の下側で縁部側板１１５の縁に寄った側に位置してもよい。
例えば、発光機器２１０が、縁部上板１１４の下側で縁部側板１１５の中央部に寄った側に位置してもよい。
【００３９】
照明手段２００は、パレット上部部材の案内面の少なくとも一部に長辺に沿って塗布される蓄光材２２０を有してもよい。
例えば、蓄光材２３０が案内面Ｓに長辺Ｅに沿って所定の幅で塗布される。
【００４０】
照明手段２００は、案内面Ｓの少なくとも一部に長辺Ｅに沿って直列に配置される複数の発光素子２２０を有してもよい。
複数の発光素子２２０は、案内面Ｓを形成する案内面上板１１１に配される。
例えば、複数の発光素子２２０は、案内面Ｓを形成する案内面上板１１１の表面に配される。
例えば、複数の発光素子２２０は、案内面Ｓを形成する案内面上板１１１に設けられた窪みに配される。
例えば、複数の発光素子２２０は、案内面Ｓを形成する案内面上板１１１のパレット上部部材１１０の縁部に寄った側に配される。
例えば、複数の発光素子２２０は、案内面Ｓを形成する案内面上板１１１のパレット上部部材１１０の縁部に寄った側に設けられた窪みに配される。
例えば、複数の発光素子２２０は、案内面Ｓを形成する案内面上板１１１のパレット上部部材１１０の中央部に寄った側に配される。
例えば、複数の発光素子２２０は、案内面Ｓを形成する案内面上板１１１のパレット上部部材１１０の中央部に寄った側に設けられた窪みに配される。
【００４１】
照明手段２００が、パレット上部部材１１０の下側に位置して外部から放射される光を誘導する光誘導機器２４０を有してもよい。
例えば、光誘導機器２４０は、外部発光機器３００の発光する光を誘導する。
照明手段２００が、パレット上部部材１１０を構成する板材の下側に位置して外部から放射される光を誘導する光誘導機器２４０を有してもよい。
光誘導機器２４０が、パレット上部部材１１０を構成する板材の下側に位置して、外部発光機器３００から放射される光を誘導してもよよい。
光誘導機器２４０に誘導される光が、開口Ｏを通過して案内面Ｓを照らす。
例えば、光誘導機器１４０は、光ファイバー、光プリズム等である。
例えば、外部発光機器３００は、入出庫空間に設けられる投光器、ランプ等である。
【００４２】
光誘導機器２４０が、中央部上板１１２の下側に位置してもよい。
例えば、光誘導機器２４０が、中央部上板１１２の下側で中央部側板１１３からパレット上部部材１１０の中央部に寄った側に位置する。
例えば、光誘導機器２４０が、中央部上板１１２の下側で中央部側板１１３からパレット上部部材１１０の縁部に寄った側に位置する。
【００４３】
光誘導機器２４０が、縁部上板１１４の下側に位置してもよい。
例えば、光誘導機器２４０が、縁部上板１１４の下側で縁部側板１１５からパレット上部部材１１０の縁部に寄った側に位置してもよい。
例えば、光誘導機器２４０が、縁部上板１１４の下側で縁部側板１１５からパレット上部部材１１０の中央部に寄った側に位置してもよい。
【００４４】
車両給電機器４００は、パレットに搭載された車両に電力を給電する機器である。
車両給電機器４００は、充電ケーブル４１０と充電ケーブル収納機器４２０とで構成される。
充電ケーブル４１０は、給電プラグ４１１と充電ケーブル本体４１２とで構成される。
給電プラグ４１１は、給電プラグ受６に脱着可能に結合する電気機器である。
給電プラグ４１１が給電プラグに結合すると、給電ケーブル４１０から車両５へ電力を給電できる。
給電ケーブル本体４１２は、電源装置５００からの電力を給電プラグ４１１へ伝える電気ケーブルで構成される。
充電ケーブル収納機器４２０は、充電ケーブル４１０を収納する機器である。
例えば、充電ケーブル収納機器４２０は、充電ケーブル本体４１２を内部の格納空間に格納する。
【００４５】
電源装置５００は、電力を車両給電機器４００を介して車両へ給電する電気機器である。
電源装置５００は、公衆電力網から給電される電力を、所望の電圧、電流に変換して車両給電機器４００を介して車両へ給電する。
【００４６】
以下に、本発明の実施形態に係るパレットの例を、図を基に、説明する。
【００４７】
最初に、本発明の第一の実施形態に係るパレットを、図を基に、説明する。
図２は、本発明の第一、第二の実施形態に係るパレットの斜視図である。図３は、本発明の第一の実施形態に係るパレットの正面図である。
【００４８】
第一の実施形態に係るパレットは、パレット主構造体１００と照明手段２００とで構成される。
【００４９】
パレット主構造体１００は、パレット上部部材１１０と梁部材１２０とで構成される。
【００５０】
パレット上部部材１１０は、左右１対の案内面上板１１１と中央部上板１１２と左右１対の中央部側板１１３と左右１対の縁部上板１１４と左右１対の縁部側板１１５とで構成される。
【００５１】
左右１対の案内面上板１１１は、左右１対の案内面Ｓを各々に形成する板材である。
【００５２】
中央部上板１１２は、左右１対の案内面Ｓに挟まれる位置に案内面Ｓの高さより高い面を形成する板である。
左右１対の中央部側板１１３は、左右１対の案内面から各々に立ち上がる面を形成し中央部上板１１２に繋がる板である。
左右１対の中央部側板１１３は、中央部上板１１２に継ぎ目無く繋がる。
【００５３】
複数の開口Ｏが、中央部側板１１３に案内面Ｓの延びる向きに沿って設けられる。
【００５４】
左右１対の縁部上板１１４は、左右１対の長辺Ｅを各々に形成する左右１対の縁部に位置し、案内面Ｓより高い面を各々に形成する板である。
左右１対の縁部側板１１５は、左右１対の案内面Ｓから各々に立ち上がる面を形成し左右１対の縁部上板１１４へ繋がる板である。
左右１対の縁部側板１１５は、左右１対の縁部上板１１４へ継ぎ目無く繋がる
【００５５】
発光機器２１０が、中央部上板１１２の下側で中央部側板１１３からパレット上部部材１１０の中央部に寄った側に位置する。
発光機器２１０の発光する光が、開口Ｏを通過して、案内面Ｓを照らす。
例えば、複数の発光機器２１０が、中央部上板１１２の下側で中央部側板１１３からパレット上部部材１１０の中央部に寄った側に各々に位置する。
例えば、複数の発光機器２１０の発光する光が、複数の開口Ｏを通過して、案内面Ｓを照らす。
【００５６】
次に、本発明の第二の実施形態に係るパレットを、図を基に、説明する。
図２は、本発明の第一、第二の実施形態に係るパレットの斜視図である。図４は、本発明の第二の実施形態に係るパレットの正面図である。
【００５７】
第二の実施形態に係るパレットは、パレット主構造体１００と照明手段２００とで構成される。
【００５８】
パレット主構造体１００は、パレット上部部材１１０と梁部材１２０とで構成される。
【００５９】
パレット上部部材１１０は、左右１対の案内面上板１１１と中央部上板１１２と左右１対の中央部側板１１３と左右１対の縁部上板１１４と左右１対の縁部側板１１５とで構成される。
【００６０】
左右１対の案内面上板１１１は、左右１対の案内面Ｓを各々に形成する板材である。
【００６１】
中央部上板１１２は、左右１対の案内面Ｓに挟まれる位置に案内面Ｓの高さより高い面を形成する板である。
左右１対の中央部側板１１３は、左右１対の案内面から各々に立ち上がる面を形成し中央部上板１１２に繋がる板である。
左右１対の中央部側板１１３は、中央部上板１１２の下面にＴ字状に繋がる。
中央部上板１１２が、中央部上板１１２のＴ字状に繋がる箇所から庇状にはりだす。
【００６２】
開口Ｏが、中央部側板１１３と中央部上板１１２との間に設けられる。
複数の開口Ｏが、中央部側板１１３と中央部上板１１２との間に設けられる。
複数の開口Ｏが、中央部側板１１３と中央部上板１１２との間に案内面Ｓの延びる向きに沿って設けられる。
【００６３】
左右１対の縁部上板１１４は、左右１対の長辺Ｅを各々に形成する左右１対の縁部に位置し、案内面Ｓより高い面を各々に形成する板である。
左右１対の縁部側板１１５は、左右１対の案内面Ｓから各々に立ち上がる面を形成し左右１対の縁部上板１１４へ繋がる板である。
左右１対の縁部側板１１５は、左右１対の縁部上板１１４へ継ぎ目無く繋がる
【００６４】
発光機器２１０が、中央部上板１１２の下側で中央部側板１１３からパレット上部部材１１０の縁部に寄った側に位置する
発光機器２１０が、中央部上板１１２のはりだし部の下側で中央部側板１１３からパレット上部部材１１０の縁部に寄った側に位置する
発光機器２１０の発光する光が、開口Ｏを通過して、案内面Ｓを照らす。
例えば、複数の発光機器２１０が、中央部上板１１２の下側で中央部側板１１３からパレット上部部材１１０の縁部に寄った側に位置する。
例えば、複数の発光機器２１０の発光する光が、複数の開口Ｏを通過して、案内面Ｓを照らす。
【００６５】
次に、本発明の第三の実施形態に係るパレットを、図を基に、説明する。
図５は、本発明の第三、第四の実施形態に係るパレットの斜視図である。図６は、本発明の第三の実施形態に係るパレットの正面図である。
【００６６】
第三の実施形態に係るパレットは、パレット主構造体１００と照明手段２００とで構成される。
【００６７】
パレット主構造体１００は、パレット上部部材１１０と梁部材１２０とで構成される。
【００６８】
パレット上部部材１１０は、左右１対の案内面上板１１１と中央部上板１１２と左右１対の中央部側板１１３と左右１対の縁部上板１１４と左右１対の縁部側板１１５とで構成される。
【００６９】
左右１対の案内面上板１１１は、左右１対の案内面Ｓを各々に形成する板材である。
【００７０】
中央部上板１１２は、左右１対の案内面Ｓに挟まれる位置に案内面Ｓの高さより高い面を形成する板である。
左右１対の中央部側板１１３は、左右１対の案内面から各々に立ち上がる面を形成し中央部上板１１２に繋がる板である。
左右１対の中央部側板１１３は、中央部上板１１２に継ぎ目無く繋がる。
【００７１】
左右１対の縁部上板１１４は、左右１対の長辺Ｅを各々に形成する左右１対の縁部に位置し、案内面Ｓより高い面を各々に形成する板である。
左右１対の縁部側板１１５は、左右１対の案内面Ｓから各々に立ち上がる面を形成し左右１対の縁部上板１１４へ繋がる板である。
左右１対の縁部側板１１５は、左右１対の縁部上板１１４へ継ぎ目無く繋がる。
【００７２】
開口Ｏが、縁部側板１１５に設けられる。
複数の開口Ｏが、縁部側板１１５に案内面Ｓの延びる向きに沿って設けられる。
【００７３】
発光機器２１０が、中央部上板１１２の下側で縁部側板１１５からパレット上部部材１１０の縁部に寄った側に位置する。
発光機器２１０の発光する光が、開口Ｏを通過して、案内面Ｓを照らす。
例えば、複数の発光機器２１０が、中央部上板１１２の下側で縁部側板１１５からパレット上部部材１１０の縁部に寄った側に各々に位置する。
例えば、複数の発光機器２１０の発光する光が、複数の開口Ｏを通過して、案内面Ｓを照らす。
【００７４】
次に、本発明の第四の実施形態に係るパレットを、図を基に、説明する。
図５は、本発明の第三、第四の実施形態に係るパレットの斜視図である。図７は、本発明の第四の実施形態に係るパレットの正面図である。
【００７５】
第四の実施形態に係るパレットは、パレット主構造体１００と照明手段２００とで構成される。
【００７６】
パレット主構造体１００は、パレット上部部材１１０と梁部材１２０とで構成される。
【００７７】
パレット上部部材１１０は、左右１対の案内面上板１１１と中央部上板１１２と左右１対の中央部側板１１３と左右１対の縁部上板１１４と左右１対の縁部側板１１５とで構成される。
【００７８】
左右１対の案内面上板１１１は、左右１対の案内面Ｓを各々に形成する板材である。
【００７９】
中央部上板１１２は、左右１対の案内面Ｓに挟まれる位置に案内面Ｓの高さより高い面を形成する板である。
左右１対の中央部側板１１３は、左右１対の案内面から各々に立ち上がる面を形成し中央部上板１１２に繋がる板である。
左右１対の中央部側板１１３は、中央部上板１１２に継ぎ目無く繋がる。
【００８０】
左右１対の縁部上板１１４は、左右１対の長辺Ｅを各々に形成する左右１対の縁部に位置し、案内面Ｓより高い面を各々に形成する板である。
左右１対の縁部側板１１５は、左右１対の案内面Ｓから各々に立ち上がる面を形成し左右１対の縁部上板１１４へ繋がる板である。
左右１対の縁部側板１１５は、左右１対の縁部上板１１４の下面にＴ字状に繋がる。
縁部上板１１４が、縁部側板１１５のＴ字状に繋がる箇所から庇状にはりだす。
【００８１】
複数の開口Ｏが、縁部側板１１５と縁部上板１１４との間に設けられる。
複数の開口Ｏが、縁部側板１１５と縁部上板１１４のはりだし部との間に設けられる。
複数の開口Ｏが、縁部側板１１５と梁部上板１１４との間に案内面Ｓの延びる向きに沿って設けられる。
【００８２】
発光機器２１０が、縁部上板１１４の下側で縁部側板１１５からパレット上部部材１１０の中央部に寄った側に位置する。
発光機器２１０の発光する光が、開口Ｏを通過して、案内面Ｓを照らす。
例えば、複数の発光機器２１０が、縁部上板１１４の下側で縁部側板１１５からパレット上部部材１１０の中央部に寄った側に各に位置する。
例えば、複数の発光機器２１０の発光する光が、複数の開口Ｏを通過して、案内面Ｓを照らす。
【００８３】
次に、本発明の第五の実施形態に係るパレットを、図を基に、説明する。
図８は、本発明の第五の実施形態に係るパレットの正面図である。
【００８４】
第五の実施形態に係るパレットは、パレット主構造体１００と照明手段２００とで構成される。
【００８５】
パレット主構造体１００は、パレット上部部材１１０と梁部材１２０とで構成される。
【００８６】
パレット上部部材１１０は、左右１対の案内面上板１１１と中央部上板１１２と左右１対の中央部側板１１３と左右１対の縁部上板１１４と左右１対の縁部側板１１５とで構成される。
【００８７】
左右１対の案内面上板１１１は、左右１対の案内面Ｓを各々に形成する板材である。
【００８８】
中央部上板１１２は、左右１対の案内面Ｓに挟まれる位置に案内面Ｓの高さより高い面を形成する板である。
左右１対の中央部側板１１３は、左右１対の案内面から各々に立ち上がる面を形成し中央部上板１１２に繋がる板である。
左右１対の中央部側板１１３は、中央部上板１１２に継ぎ目無く繋がる。
【００８９】
左右１対の縁部上板１１４は、左右１対の長辺Ｅを各々に形成する左右１対の縁部に位置し、案内面Ｓより高い面を各々に形成する板である。
左右１対の縁部側板１１５は、左右１対の案内面Ｓから各々に立ち上がる面を形成し左右１対の縁部上板１１４へ繋がる板である。
左右１対の縁部側板１１５は、左右１対の縁部上板１１４へ継ぎ目無く繋がる
【００９０】
複数の発光素子２２０が、記案内面の少なくとも一部に長辺に沿って直列に配置される。
複数の発光素子２２０の発光する光が、案内面Ｓを照らす。
例えば、複数の発光素子２２０が案内面上板１１１と縁部側板１１５との繋がる箇所に沿って直列に配置される。
例えば、複数の発光素子２２０が案内面上板１１１と縁部側板１１５との繋がる箇所に設けられた窪みに沿って直列に配置される。
例えば、複数の発光素子２２０が案内面上板１１１と中央部側板１１３との繋がる箇所に沿って直列に配置される。
例えば、複数の発光素子２２０が案内面上板１１１と中央部側板１１３との繋がる箇所に設けられる窪みに沿って直列に配置される。
【００９１】
次に、本発明の第六の実施形態に係るパレットを、図を基に、説明する。
図９は、本発明の第六の実施形態に係るパレットの斜視図である。
【００９２】
第六の実施形態に係るパレットは、パレット主構造体１００と照明手段２００とで構成される。
【００９３】
パレット主構造体１００は、パレット上部部材１１０と梁部材１２０とで構成される。
【００９４】
パレット上部部材１１０は、左右１対の案内面上板１１１と中央部上板１１２と左右１対の中央部側板１１３と左右１対の縁部上板１１４と左右１対の縁部側板１１５とで構成される。
【００９５】
左右１対の案内面上板１１１は、左右１対の案内面Ｓを各々に形成する板材である。
【００９６】
中央部上板１１２は、左右１対の案内面Ｓに挟まれる位置に案内面Ｓの高さより高い面を形成する板である。
左右１対の中央部側板１１３は、左右１対の案内面から各々に立ち上がる面を形成し中央部上板１１２に繋がる板である。
左右１対の中央部側板１１３は、中央部上板１１２に繋がる。
例えば、左右１対の中央部側板１１３は、中央部上板１１２に継ぎ目無く繋がる。
【００９７】
左右１対の縁部上板１１４は、左右１対の長辺Ｅを各々に形成する左右１対の縁部に位置し、案内面Ｓより高い面を各々に形成する板である。
左右１対の縁部側板１１５は、左右１対の案内面Ｓから各々に立ち上がる面を形成し左右１対の縁部上板１１４へ繋がる板である。
左右１対の縁部側板１１５は、左右１対の縁部上板１１４へ継ぎ目無く繋がる
【００９８】
蓄光材２３０が、パレット上部部材の案内面の少なくとも一部に長辺に沿って塗布される。
蓄光材２３０の発光する光が、案内面Ｓを照らす。
例えば、蓄光材２３０が、案内面上板１１１と縁部側板１１５との繋がる箇所に長辺に沿って直列に塗布される。
例えば、蓄光材２３０が、案内面上板１１１と縁部側板１１５との繋がる箇所に設けられた窪みに長辺に沿って直列に塗布される。
例えば、蓄光材２３０が、案内面上板１１１と中央部側板１１３との繋がる箇所に長辺に沿って直列に塗布される。
例えば、蓄光材２３０が、案内面上板１１１と中央部側板１１３との繋がる箇所に設けられる窪みに長辺に沿って直列に塗布される。
【００９９】
最初に、本発明の第七の実施形態に係るパレットを、図を基に、説明する。
図１０は、本発明の第七、第八の実施形態に係るパレットの斜視図である。
【０１００】
第七の実施形態に係るパレットは、パレット主構造体１００と照明手段２００とで構成される。
【０１０１】
第七の実施形態に係るパレットのパレット主構造体の構成は、第一の実施形態に係るパレットのパレット主構造体のものと同じなので、説明を省略する。
【０１０２】
光誘導機器２４０が、中央部上板１１２の下側で中央部側板１１３からパレット上部部材１１０の中央部に寄った側に位置する。
光誘導機器２４０は、外部発光機器３００の発光する光を誘導する。
発光機器２２０の誘導する光が、開口Ｏを通過して、案内面Ｓを照らす。
例えば、複数の光誘導機器２４０が、中央部上板１１２の下側で中央部側板１１３からパレット上部部材１１０の中央部に寄った側に各に位置する。
例えば、複数の光誘導機器２４０の発光する光が、複数の開口Ｏを通過して、案内面Ｓを照らす。
【０１０３】
次に、本発明の第八の実施形態に係るパレットを、図を基に、説明する。
図１０は、本発明の第七、第八の実施形態に係るパレットの斜視図である。
【０１０４】
第八の実施形態に係るパレットは、パレット主構造体１００と照明手段２００とで構成される。
【０１０５】
第八の実施形態に係るパレットのパレット主構造体の構成は、第二の実施形態に係るパレットのパレット主構造体のものと同じなので、説明を省略する。
【０１０６】
光誘導機器２４０が、中央部上板１１２の下側で中央部側板１１３からパレット上部部材１１０の縁部に寄った側に位置する
光誘導機器２４０が、中央部上板１１２のはりだし部の下側で中央部側板１１３からパレット上部部材１１０の縁部に寄った側に位置する
光誘導機器２４０は、外部発光機器３００の発光する光を誘導する。
光誘導機器２４０の誘導する光が、開口Ｏを通過して、案内面Ｓを照らす。
例えば、複数の光誘導機器２４０が、中央部上板１１２の下側で中央部側板１１３からパレット上部部材１１０の縁部に寄った側に位置する。
例えば、複数の光誘導機器２４０の誘導する光が、複数の開口Ｏを通過して、案内面Ｓを照らす。
【０１０７】
次に、本発明の第九の実施形態に係るパレットを、図を基に、説明する。
図１１は、本発明の第九、第十の実施形態に係るパレットの斜視図である。
【０１０８】
第九の実施形態に係るパレットは、パレット主構造体１００と照明手段２００とで構成される。
【０１０９】
第九の実施形態に係るパレットのパレット主構造体１００は、第三の実施形態に係るパレットのパレット主構造体のものと同じなので、説明を省略する。
【０１１０】
光誘導機器２４０が、中央部上板１１２の下側で縁部側板１１５からパレット上部部材１１０の縁部に寄った側に位置する。
光誘導機器２４０が、外部発光機器３００の発光する光を誘導する。
光誘導機器２４０の誘導する光が、開口Ｏを通過して、案内面Ｓを照らす。
例えば、複数の光誘導機器２４０が、中央部上板１１２の下側で縁部側板１１５からパレット上部部材１１０の縁部に寄った側に各々に位置する。
例えば、複数の光誘導機器２４０の誘導する光が、複数の開口Ｏを通過して、案内面Ｓを照らす。
【０１１１】
次に、本発明の第十の実施形態に係るパレットを、図を基に、説明する。
図１１は、本発明の第九、第十の実施形態に係るパレットの斜視図である。
【０１１２】
第十の実施形態に係るパレットは、パレット主構造体１００と照明手段２００とで構成される。
【０１１３】
第十の実施形態に係るパレットのパレット主構造体の構成は、第四の実施形態に係るパレットのパレット主構造体と同じなので、説明を省略する。
【０１１４】
光誘導機器２４０が、縁部上板１１４の下側で左右１対の縁部側板１１４からパレット上部部材１１０の中央部に寄った側に位置する。
光誘導機器２４０が、外部発光機器３００の発光する光を誘導する。
光誘導機器２４０の誘導する光が、開口Ｏを通過して、案内面Ｓを照らす。
例えば、複数の発光誘導機器２４０が、縁部上板１１４の下側で縁部側板１１５からパレット上部部材１１０の中央部に寄った側に各に位置する。
例えば、複数の光誘導機器２４０の誘導する光が、複数の開口Ｏを通過して、案内面Ｓを照らす。
【０１１５】
以下に、駐車装置に設けられた本発明の実施形態に係るパレットの作用を、説明する。
駐車装置に車両５が乗っていないとき、充電ケーブル４１０が充電ケーブル格納機構４２０に格納される。
車両５が駐車装置に乗り込む。
車輪が案内面Ｓを転動して停止する。
【０１１６】
運転手または作業員が、充電ケーブル４１０を持ち上げる。
運転手または作業員が、給電プラグ４１１を電動車両５の給電プラグ受６に差し込む。
この際に、案内面Ｓが照らされるので、足下が明るくなり、作業が容易になる。
電源装置５００から充電ケーブル４１０に給電され、充電ケーブル４１０から電動車両５へ給電される。
電動車両５が給電された電力を充電する。
充電を完了すると、充電ケーブル４１０への給電を終了する。
【０１１７】
出庫する際に、運転手または作業員が、給電プラグ４１１を電動車両５の給電プラグ受６から外す。
運転手または作業員が、充電ケーブル４１０を充電ケーブル格納機構４２０に格納する。
この際に、案内面Ｓが照らされるので、足下が明るくなり、作業が容易になる。
電動車両５が、駐車空間から移動する。
駐車空間が空になる
【０１１８】
次に、本発明の実施形態にかかる駐車装置を、説明する。
駐車装置は、駐車機構で構成される。
駐車装置は、駐車機構と車両給電機器４００とで構成されてもよい。
駐車装置は、駐車機構と車両給電機器４００と電源装置５００とで構成されてもよい。
【０１１９】
駐車機構は、入出庫空間に入出庫する車両を駐車空間に移動して、車両を駐車空間に駐車させる機構である。
入出庫空間が駐車空間を兼ねてもよい。
【０１２０】
駐車機構は、入出庫空間に入出庫する車両をパレットに載せて、パレットを駐車空間へ移動させて、車両を駐車空間に駐車させてもよい。
【０１２１】
パレットは、上から見て略長方形の輪郭をもつパレット上部部材をもち、パレット上部部材に車両５を搭載させる構造体である。
パレット上部部材は、略長方形の１対の長辺Ｅに挟まれる１対の走行面Ｓを設けられる。
車両５は、１対の走行面Ｓの上を自走する。
【０１２２】
車両給電機器４００は、駐車空間に設けられてもよい。
車両給電機器４００は、パレットの上に設けられてもよい。
【０１２３】
以下に、本発明の実施形態にかかる車両給電機器を設けられる駐車装置を、図を基に、説明する。
図１２は、本発明の実施形態に係る駐車装置の背面図である。図１３は、本発明の実施形態に係る駐車装置の斜視図である。図１４は、本発明の実施形態に係る駐車装置の正面図である。図１５は、本発明の実施形態に係る駐車装置のＢ−Ｂ断面図である。図１６は、本発明の実施形態に係る駐車装置のＣ−Ｃ断面図である。図１７は、本発明の実施形態に係る駐車装置の部分斜視図である。
【０１２４】
本発明の実施形態にかかる駐車装置は、駐車空間である下部空間Ｈ１と下部空間Ｈ１より高い位置に位置する駐車空間である上部空間Ｈ２とに各々に車両を駐車させることをできる装置である。
例えば、本発明の実施形態にかかる駐車装置は、駐車空間である下部空間Ｈ１と下部空間Ｈ１の上方に位置する駐車空間である上部空間Ｈ２とに各々に車両を駐車させることをできる装置である。
駐車装置は、駐車空間である下部空間Ｈ１と下部空間Ｈ１より高い位置に位置する駐車空間である上部空間Ｈ２と上部空間Ｈ２より高い位置に位置する駐車空間である上段空間Ｈ３とに各々に車両を駐車させることをできてもよい。
上部空間Ｈ２が下部空間Ｈ１の上方に位置する。
上段空間Ｈ３が上部空間Ｈ２の上方に位置する。
図１５には、３個の下部空間Ｈ１と３個の上部空間Ｈ２と３個の上段空間Ｈ３とを持つ駐車装置が示される。
図１５に示される駐車装置は、３個の昇降パレット１０と２個の横行パレット４０と３個の上段パレット６０とを備える。
３個の昇降パレット１０は、３個の下部空間Ｈ１の中を各々に昇降できる。
２個の横行パレット４０は、３個の上部空間Ｈ２の中を各々に横行できる。
３個の上段パレット６０は、３個の上部空間Ｈ２の中を各々に昇降できる。
下部空間Ｈ１はピットＰの中に設けられることが多い。
【０１２５】
駐車装置は、昇降パレット１０と昇降機器２０と前後１対の横行レール３０と横行パレット４０と横行機器５０と主構造体８０とで構成されてもよい。
駐車装置は、昇降パレット１０と昇降機器２０と前後１対の横行レール３０と横行パレット４０と横行機器５０と上段パレット６０と上段昇降機器７０と主構造体８０で構成されてもよい。
【０１２６】
昇降パレット１０は、車両５を搭載可能なパレットであって、下部空間Ｈ１の中を昇降可能になったものである。
昇降パレット１０は、パレット２５０と梁構造１２とバランスチェーン用スプロケット１３と昇降チェーン用スプロケット１４とで構成されてもよい。
パレット２５０は、上から見て略四辺形の構造体であって、車両５のタイヤを転動可能に支持できる面をもつものである。
以下、車両５のタイヤを転動可能に支持できる面を案内面Ｓと呼称する。
梁構造１２は、パレットの四隅から前後方向に各々に突き出る構造である。
例えば、左右１対の梁構造１２がパレット２５０の左右の長辺に沿って固定される。
４個のバランスチェーン用スプロケット１３が、２本の梁構造１２の前方と後方とに各々に回転自在に固定される。
２個の昇降チェーン用スプロケット１４が、２本の梁構造１２の一方の端部に各々に回転自在に固定される。
【０１２７】
昇降機器２０は、昇降パレット１０を下部空間の中で昇降させることをできる機器である。
昇降機器２０は、梁構造１２を支点として昇降パレット１０を支持してもよい。
昇降機器２０は、バランスチェーン２１と昇降チェーン２２とチェーン巻上げ機器２３とで構成されてもよい。
バランスチェーン２１は、昇降パレット１０が昇降する際に、案内面Ｓを水平に維持するための機器である。バランスチェーン２１は、梁構造１２の前後に回転可能に固定された前後１対のバランスチェーン用スプロケット１３に巻きかけられ、前後のバランスチェーン用スプロケット１３の内の一方のバランスチェーン用スプロケット１３から上方へ延びて端部を固定され、前後のバランスチェーン用スプロケット１３の内の他方のバランスチェーン用スプロケット１３から下方へ延びて端部を固定される。
昇降チェーン２２は、昇降パレット１０を支持しチェーン巻上げ機器２３に巻上げ、巻き下げされるチェーンである。
例えば、昇降チェーン２２は、昇降チェーン用スプロケット１４に巻かれて、一端を上方に延ばして固定され、他端を上方へ延ばしてチェーン巻上げ機器２３に巻上げ、巻き下げされる。
昇降チェーン２２が巻上げられると、昇降パレット１０が上昇する。
昇降チェーン２２が巻き下げられると、昇降パレット１０が下降する。
【０１２８】
前後１対の横行レール３０は、上部空間Ｈ２を前後方向に挟んで左右方向に延びるレールである。
前後１対の横行レール３０は、後述する横行パレット４０を左右方向に移動可能に案内する。
横行レール３０は、固定レール３１で構成される。
固定レール３１は、固定される。
例えば、固定レール３１は、駐車装置の主構造体８０に固定される。
【０１２９】
横行パレット４０は、車両を搭載可能なパレットであって、前後１対の横行レール３０に案内されて左右方向に横行可能なものである。
横行パレット４０は、パレット２５０と梁構造４２と横行車輪４３とで構成されてもよい。
横行パレット４０は、パレット２５０と左右１対の梁構造４２と４個の横行車輪４３とで構成される。
パレット２５０は、上から見て略四辺形の構造体であって、車両５のタイヤを転動可能に支持できる面をもつものである。
以下、車両５のタイヤを転動可能に支持できる面を案内面Ｓと呼称する。
梁構造４２は、パレット２５０の四隅から前後方向に各々に突き出る構造である。
例えば、左右１対の梁構造４２がパレット２５０の左右の長辺に沿って固定される。
横行車輪４３は、横行レール３０のレール面を転動する機械要素である。
４個の横行レール４３は、左右１対の梁構造４２の前後の端部に各々に固定される。
【０１３０】
横行機器５０は、横行パレット４０を左右方向に横行させることをできる機器である。
横行機器５０は、横行車輪４３を回転駆動してもよい。
横行機器５０が横行車輪４３を回転駆動すると、横行パレット４０が前後１対の横行レール３０に案内されて横行する。
【０１３１】
上段パレット６０は、車両５を搭載可能なパレットであって、上部空間Ｈ２の中を昇降可能になったものである。
上端パレット６０は、パレット２５０と梁構造６２とバランスチェーン用スプロケット６３と昇降チェーン用スプロケット６４とで構成されてもよい。
パレット２５０は、上から見て略四辺形の構造体であって車両のタイヤを転動可能に支持できる面をもつ構造体である。
梁構造６２は、パレットの四隅から前後方向に各々に突き出る構造体である。
４個のバランスチェーン用スプロケット６３が、２本の梁構造１２の前方と後方とに各々に回転自在に固定される。
２個の昇降チェーン用スプロケット６４が、２本の梁構造１２の一方の端部に各々に回転自在に固定される。
【０１３２】
上段昇降機器７０は、上段パレット６０を上部空間Ｈ２の中で昇降させる機器である。
上段昇降機器７０は、上段バランスチェーン７１と上段昇降チェーン７２と上段巻上げ機器７３とで構成されてもよい。
上段バランスチェーン６１は、上段パレット６０が昇降する際に、案内面Ｓを水平に維持するための機器である。上段バランスチェーン７１は、梁構造６２の前後に回転可能に固定された前後１対のバランスチェーン用スプロケット６３に巻きかけられ、前後のバランスチェーン用スプロケット６３の内の一方のバランスチェーン用スプロケット６３から上方へ延びて端部を固定され、前後のバランスチェーン用スプロケット６３の内の他方のバランスチェーン用スプロケット６３から下方へ延びて端部を固定される。
上段昇降チェーン７２は、上段パレット６０を吊り下げて上段巻上げ機器７３に巻上げ、巻き下げされるチェーンである。
例えば、上段昇降チェーン７２は、昇降チェーン用スプロケット６４に巻かれて、一端を上方に延ばして固定され、他端を上方へ延ばして上段巻上げ機器７３に巻上げ、巻き下げされる。
上段昇降チェーン７２が巻上げられると、上段パレット６０が上昇する。
上段昇降チェーン７２が巻き下げられると、上段パレット６０が下降する。
【０１３３】
主構造体８０は、駐車装置の主要な骨格を形成する構造体である。
固定プラットホーム８１が、駐車装置の周囲の走行路と横行レール３０との隙間に設けられる。車両１０は、パレット２５０と横行レール３０と固定プラットホーム８１との上面を走行し、上部空間に入出庫する。
【０１３４】
以下に、駐車装置の作用を説明する。
昇降パレット１０が、下部空間Ｈ１の下方に位置する。
横行レール３０の姿勢が作動姿勢であり、固定レール３１のレール面と可動レール３２のレール面とが段差無くに繋がる。
横行機器５０が、横行レール３０に案内される横行パレット４０を横行させる。
上部空間がパレットの在席していない（いわゆる、空パレット）状態になる。
昇降機器２０が、昇降パレット１０を下部空間Ｈ１の下方から下部空間Ｈ１の上方へ上昇させる。
昇降パレット１０が下部空間Ｈ１の上部に停止すると、昇降パレット１０の案内面Ｓのレベルと路面のレベルとが一致する。
この状態で、車両５が自走して昇降パレット１０に乗り込み、または車両５が自走して昇降パレット１０から降りる。
【０１３５】
昇降機器２０が、昇降パレット１０を下部空間Ｈ１の上方から下部空間Ｈ１の下方へ下降させる。
昇降パレット１０が下部空間Ｈ１の下方に位置して停止する。
この後、例えば、横行機器５０が、横行レール３０に案内され横行パレット４０を横行させる。
【０１３６】
本発明の実施形態にかかるパレットは、その構成により、以下の効果を有する。
パレット主構造体１００に支持される照明手段２００が、上から見て略長方形の輪郭をもつパレット上部部材１１０の左右一対の長辺に挟まれる左右一対の案内面Ｓを照らす様にしたので、車両５を案内面Ｓに搭載した状態で案内面Ｓを容易に視認できる。
また、パレット上部部材１１０の下側に位置する発光機器２１０の発光する光がパレット上部部材１１０に設けられる開口Ｏを通過して案内面Ｓを照らす様にしたので、車両５を案内面Ｓに搭載した状態で案内面Ｓを容易に視認できる。
また、パレット上部部材１１０の左右一対の案内面Ｓの挟まれて位置し案内面Ｓから立ち上がる面を形成する左右一対の中央部側板１１３が繋がり案内面Ｓより高い面を形成する中央部上板１１２の下側に位置する発光機器２１０の発光する光が案内面Ｓを照らす様にしたので、車両５を案内面Ｓに搭載した状態で案内面Ｓを容易に視認できる。
また、パレット上部部材１１０の縁部に位置し案内面Ｓから立ち上がる面を形成する左右一対の縁部側板１１５が繋がり案内面Ｓより高い面を形成する左右一対の縁部上板１１４の下側に位置する発光機器２１０の発光する光が案内面を照らす様にしたので、車両を案内面に搭載した状態で案内面を容易に視認できる。
また、蓄光材２３０を案内面Ｓの少なくとも一部に長辺に沿って塗る様にしたので、蓄光材２３０の照らす光により車両５を案内面Ｓに搭載した状態で案内面を容易に視認できる。
また、複数の発光素子２２０を案内面Ｓの少なくとも一部に長辺に沿って直列に配置する様にしたので、、発光素子２２０の照らす光により車両％を案内面Ｓに搭載した状態で案内面Ｓを容易に視認できる。
また、  パレット上部部材１１０の下側に位置する光誘導機器２４０が外部から放射される光を誘導して、パレット上部部材１１０に設けられる開口Ｏを通過して案内面Ｓを照らす様にしたので、車両５を案内面Ｓに搭載した状態で案内面Ｓを容易に視認できる。
また、パレット上部部材１１０の左右一対の案内面Ｓに挟まれて位置し案内面Ｓから立ち上がる面を形成する左右一対の中央部側板１１３が繋がり案内面Ｓより高い面を形成する中央部上板１１２の下側に位置する光誘導機器２４０が外部から放射される光を誘導し案内面Ｓを照らす様にしたので、車両５を案内面Ｓに搭載した状態で案内面Ｓを容易に視認できる。
また、パレット上部部材１１０の縁部に位置し案内面Ｓから立ち上がる面を形成する左右一対の縁部側板１１５が繋がり案内面Ｓより高い面を形成する左右一対の縁部上板１１４の下側に位置する光誘導機器２４０が外部から放射される光を誘導して案内面Ｓを照らす様にしたので、車両５を案内面Ｓに搭載した状態で案内面Ｓを容易に視認できる。
【０１３７】
本発明は以上に述べた実施形態に限られるものではなく、発明の要旨を逸脱しない範囲で各種の変更が可能である。
説明では、エレベータ方式駐車機構を採用した駐車装置を例にして説明したがこれに限定されず、メリーゴーランド方式駐車機構、エレベータ・スライド方式駐車機構、平面往復方式駐車機構、運搬格納方式駐車機構、二段方式・多段方式駐車機構のどれを採用した駐車装置であってもよい。
車両給電機器を備える駐車装置に使用する例で説明したが、これに限定されない。例えば、車両給電機器を備えない駐車装置に使用してもよい。
駐車装置に使用する例で説明したが、これに限定されない。例えば、充電のために車両を搭載する装置に使用してもよい。
パレット上部部材が中央部側板と縁部側板とを備える場合を例に説明したが、これに限定されない。例えば、中央部側板と縁部側板との一部または全部を備えない場合であってもよい。
前後方向を車両の前後方向として説明したが、これに限定されない。例えば、後方を者慮が駐車空間に進入する方向としてもよい。
【符号の説明】
【０１３８】
Ｅ  長辺
Ｓ  案内面
Ｆ  立ち上がり部
５  車両
６  給電プラグ受
Ｐ  ピット
Ｈ１  下部空間
Ｈ２  上部空間
Ｈ３  上段空間
Ｏ  開口
１０  昇降パレット
１２  梁構造
１３  バランスチェーン用スプロケット
１４  昇降チェーン用スプロケット
２０  昇降機器
２１  バランスチェーン
２２  昇降チェーン
２３  チェーン巻上げ機器
３０  横行レール
３１  固定レール
３２  可動レール
３３  可動レール揺動幹
４０  横行パレット
４２  梁構造
４３  横行車輪
５０  横行機器
６０  上段パレット
６２  梁構造
６３  バランスチェーン用スプロケット
６４  昇降チェーン用スプロケット
７０  上段昇降機器
７１  上段バランスチェーン
７２  上段昇降チェーン
７３  上段巻上げ機器
８０  主構造体
８１  固定プラットホーム
１００  パレット主構造体
１１０  パレット上部部材
１１１  案内面上板
１１２  中央部上板
１１３  中央部側板
１１４  縁部上板
１１５  縁部側板
１２０  梁部材
２００  照明手段
２１０  発光機器
２２０  発光素子
２３０  蓄光材
２４０  光誘導機器
３００  外部発光機器
４００  車両給電機器
４１０  充電ケーブル
４１１  給電プラグ
４１２  充電ケーブル本体
４２０  充電ケーブル収納機器
５００  電源装置
【先行技術文献】
【特許文献】
【０１３９】
【特許文献１】特開２０１１−１１１８０５号
【特許文献２】特開２０１１−１０１０８２号
【図１】
2014227659.tif 000003
【図２】
2014227659.tif 000004
【図３】
2014227659.tif 000005
【図４】
2014227659.tif 000006
【図５】
2014227659.tif 000007
【図６】
2014227659.tif 000008
【図７】
2014227659.tif 000009
【図８】
2014227659.tif 000010
【図９】
2014227659.tif 000011
【図１０】
2014227659.tif 000012
【図１１】
2014227659.tif 000013
【図１２】
2014227659.tif 000014
【図１３】
2014227659.tif 000015
【図１４】
2014227659.tif 000016
【図１５】
2014227659.tif 000017
【図１６】
2014227659.tif 000018
【図１７】
2014227659.tif 000019
【図１８】
2014227659.tif 000020